(57)【要約】【課題】測定槽内の汚れおよび溶存酸素濃度センサの汚れによる誤差要因をなくして、生物処理槽の排水の溶存酸素濃度を常に正確に把握し、これにより酸素利用速度を正確に演算することのできる水質測定装置を提供することを目的とする。【解決手段】水質測定槽１７に被測定水を一定時間循環させた後貯留し、ブロア２９にて曝気し、溶存酸素濃度を高めた後、溶存酸素濃度センサ２８の測定値が上限値から下限値に下がる時間を測定することで被測定水の酸素利用速度を演算するとともに水質測定槽１７および溶存酸素濃度センサ２８を定期的に洗浄することで誤差要因をなくして測定精度を高めた。【選択図】図１
2007248102.tif 000002
【特許請求の範囲】
【請求項１】
被測定水を一定量貯留する水質測定槽と、
前記水質測定槽に貯留された被測定水の溶存酸素濃度を測定する溶存酸素濃度センサと、
前記水質測定槽に被測定水を供給する被測定水流入口と、
前記水質測定槽を洗浄する洗浄水を供給する洗浄水流入口と、
前記水質測定槽に貯留された被測定水または洗浄水を前記水質測定槽の上部より排出する上部排出口と、
前記水質測定槽に貯留された被測定水または洗浄水を前記水質測定槽底部より排出する底部排出口を備えた水質測定装置であって、
前記被測定水を前記水質測定槽に供給する被測定水供給手段と、
前記洗浄水を前記水質測定槽に供給する洗浄水供給手段と、
前記水質測定槽に貯留された被測定水または洗浄水を前記底部排出口より排出する底部排出手段と、
前記水質測定槽に循環流を発生させる循環流発生手段と、
前記水質測定槽内の被測定水または洗浄水を曝気する曝気手段を備え、
前記被測定水供給手段、前記底部排出手段、前記循環流発生手段、前記曝気手段を制御することで、
前記水質測定槽と前記溶存酸素センサを洗浄する洗浄工程と、
前記水質測定槽を洗浄水で満たす待機工程と、
前記溶存酸素センサの計測値をもとに被測定水の酸素利用速度を演算する演算工程を行う制御装置を有することを特徴とする水質測定装置。
【請求項２】
洗浄工程は、被測定水排出動作と洗浄水供給動作と洗浄動作を有することを特徴とする請求項１に記載の水質測定装置。
【請求項３】
被測定水排出動作は、前記底部排出手段で前記水質測定槽内の被測定水を前記底部排出口より排出することを特徴とする請求項２に記載の水質測定装置。
【請求項４】
洗浄水供給動作は前記水質測定槽の水位が設定水位に達するまで前記洗浄水供給手段で洗浄水を前記水質測定槽に供給することを特徴とする請求項２に記載の水質測定装置。
【請求項５】
洗浄動作は、前記循環流発生手段で前記水質測定槽内の洗浄水を循環させて行うことを特徴とする請求項２に記載の水質測定装置。
【請求項６】
洗浄動作は、前記曝気手段で前記水質測定槽内の洗浄水を曝気して行うことを特徴とする請求項２に記載の水質測定装置。
【請求項７】
水質測定槽に、前記溶存酸素濃度センサを洗浄する洗浄水を供給するセンサ洗浄水流入口と、センサ洗浄水を前記水質測定槽に供給するセンサ洗浄水供給手段を備え、
洗浄工程は、前記センサ洗浄水供給手段にてセンサ洗浄水を供給し、前記溶存酸素濃度センサを洗浄するともに前記底部排出口開閉手段を開きセンサ洗浄水を排出するセンサ洗浄動作を有することを特徴とする請求項２に記載の水質測定装置。
【請求項８】
待機工程は洗浄水排出動作と洗浄水供給動作と待機動作を有することを特徴とする請求項１に記載の水質測定装置。
【請求項９】
洗浄水排出動作は、前記底部排出手段で前記水質測定槽内の被測定水を前記底部排出口より排出することを特徴とする請求項８に記載の水質測定装置。
【請求項１０】
洗浄水供給動作は前記水質測定槽の水位が設定水位に達するまで前記洗浄水供給手段で洗浄水を前記水質測定槽に供給することを特徴とする請求項８に記載の水質測定装置。
【請求項１１】
待機動作は洗浄水を満たした状態に前記水質測定槽を設定時間維持することを特徴とする請求項８に記載の水質測定装置。
【請求項１２】
演算工程は洗浄水排出動作と被測定水供給動作と曝気動作と演算動作を有することを特徴とする請求項１に記載の水質測定装置。
【請求項１３】
洗浄水排出動作は、前記底部排出手段で前記水質測定槽内の被測定水を前記底部排出口より排出することを特徴とする請求項１２に記載の水質測定装置。
【請求項１４】
被測定水供給動作は、被測定水供給手段で水質測定槽に被測定水を設定時間供給するとともに循環流発生手段で水質測定槽内に循環流を発生させることを特徴とする請求項１２に記載の水質測定装置。
【請求項１５】
曝気動作は、前記循環流発生手段で前記水質測定槽内に循環流を発生させるとともに前記曝気手段で前記水質測定槽に貯留された被測定水を曝気することを特徴とする請求項１２に記載の水質測定装置。
【請求項１６】
曝気動作は、前記溶存酸素濃度センサの測定値が設定値以上になるまで行うことを特徴とする請求項１５に記載の水質測定装置。
【請求項１７】
演算動作は、前記溶存酸素濃度センサの測定値が予め設定された上限値から下限値に下がるまでの時間を測定することで被測定水の酸素利用速度の演算を行うことを特徴とする請求項１２に記載の水質測定装置。
【請求項１８】
洗浄工程、待機工程、演算工程を周期的に繰り返すことを特徴とする請求項１または７に記載の水質測定装置。
【請求項１９】
洗浄工程は数周期毎に行うことを特徴とする請求項１８に記載の水質測定装置。
【請求項２０】
センサ洗浄動作は洗浄工程の数周期毎に行うことを特徴とする請求項１８に記載の水質測定装置。
【請求項２１】
循環流発生手段は水質測定槽に上下方向の循環流を発生させることを特徴とする請求項１に記載の水質測定装置。
【発明の詳細な説明】
【技術分野】
【０００１】
本発明は、工場や他の施設などから排出される被処理水である排水と汚泥との混合水を生物処理槽に貯留し、生物処理槽の混合水の溶存酸素濃度を測定し、酸素利用速度を演算するする水質測定装置に関するものである。
【背景技術】
【０００２】
従来、生物処理槽の被処理水である排水と汚泥との混合水の水質を測定し、その検出値に基づき水質を最適条件に制御する排水処理方法として、生物処理槽の混合水に直接、溶存酸素濃度検出器を位置させて溶存酸素濃度（ＤＯ、Ｄｉｓｓｏｌｖｅｄ  Ｏｘｙｇｅｎ）を検出し、この検出値に基づき生物処理槽の曝気手段の曝気能力を制御するものがあるが、曝気による混合水の流動化よって溶存酸素濃度検出器の検出値が不安定となり正確な値を検出することが困難である。
【０００３】
また比較的大きい生物処理槽に溶存酸素濃度検出器を設置することが必要で、メンテナンスも含め作業性等に課題がある。さらに曝気による多量の混合水の流動化によって混合水中の異物等が溶存酸素濃度検出器に付着しやすく、正確な値を検出することが困難となる課題がある。前記課題を解決するために、生物処理槽から混合水の一部を別設の測定槽に取り込み溶存酸素濃度を検出するものがある。
【０００４】
この代表的例として、同心の円筒形外周壁及びそれより低い同心の円筒形内周壁と両周壁間の底壁とで画成された環状水路内に排水を連続流入させて環状水流を形成し、環状水流中に水質測定プローブを垂下して排水の水質を測定するものがある（例えば特許文献１参照）。
【特許文献１】特開２００２−３４０８８３号公報
【発明の開示】
【発明が解決しようとする課題】
【０００５】
しかしながら、前記従来の特許文献１に記載のものは、生物処理槽の溶存酸素濃度が低濃度の状態において、溶存酸素濃度検出器の低濃度域における検出性能が低下し、また、さまざまな外乱の影響により正確な値を検出することが困難である。
【０００６】
したがって検出した溶存酸素濃度から酸素利用速度を正確に演算することは困難となる。
【０００７】
本発明は上記従来の課題を解決するもので、生物処理槽の被処理水である排水と汚泥との混合水の溶存酸素濃度を常に正確に把握し、酸素利用速度を正確に演算することのできる水質測定装置を提供することを目的とする。
【課題を解決するための手段】
【０００８】
被測定水を一定量貯留する水質測定槽と、前記水質測定槽に貯留された被測定水の溶存酸素濃度を測定する溶存酸素濃度センサと、前記水質測定槽に被測定水を供給する被測定水流入口と、前記水質測定槽を洗浄する洗浄水を供給する洗浄水流入口と、前記水質測定槽に貯留された被測定水または洗浄水を前記水質測定槽の上部より排出する上部排出口と、前記水質測定槽に貯留された被測定水または洗浄水を前記水質測定槽底部より排出する底部排出口を備えた水質測定装置であって、前記被測定水を前記水質測定槽に供給する被測定水供給手段と、前記洗浄水を前記水質測定槽に供給する洗浄水供給手段と、前記水質測定槽に貯留された被測定水または洗浄水を前記底部排出口より排出する底部排出手段と、前記水質測定槽に循環流を発生させる循環流発生手段と、前記水質測定槽内の被測定水または洗浄水を曝気する曝気手段を備え、前記被測定水供給手段、前記底部排出口開閉手段、前記循環流発生手段、前記曝気手段を制御することで前記水質測定槽と前記溶存酸素センサを洗浄する洗浄工程と、前記水質測定槽を洗浄水で満たす待機工程と、前記溶存酸素センサの計測値をもとに被測定水の酸素利用速度を演算する演算工程を行う制御装置を有することを特徴とする水質測定装置としたものである。
【発明の効果】
【０００９】
本発明により、水質測定槽内の汚れおよび溶存酸素濃度センサの汚れによる誤差要因をなくして、生物処理槽の排水の溶存酸素濃度を常に正確に把握し、これにより酸素利用速度を正確に演算することのできる水質測定装置を提供することができる。
【発明を実施するための最良の形態】
【００１０】
本発明の第１の実施の形態による水質測定装置は、被測定水を一定量貯留する水質測定槽と、前記水質測定槽に貯留された被測定水の溶存酸素濃度を測定する溶存酸素濃度センサと、前記水質測定槽に被測定水を供給する被測定水流入口と、前記水質測定槽を洗浄する洗浄水を供給する洗浄水流入口と、前記水質測定槽に貯留された被測定水または洗浄水を前記水質測定槽の上部より排出する上部排出口と、前記水質測定槽に貯留された被測定水または洗浄水を前記水質測定槽底部より排出する底部排出口を備えた水質測定装置であって、前記被測定水を前記水質測定槽に供給する被測定水供給手段と、前記洗浄水を前記水質測定槽に供給する洗浄水供給手段と、前記水質測定槽に貯留された被測定水または洗浄水を前記底部排出口より排出する底部排出手段と、前記水質測定槽に循環流を発生させる循環流発生手段と、前記水質測定槽内の被測定水または洗浄水を曝気する曝気手段を備え、前記被測定水供給手段、前記底部排出口開閉手段、前記循環流発生手段、前記曝気手段を制御することで前記水質測定槽と前記溶存酸素センサを洗浄する洗浄工程と、前記水質測定槽を洗浄水で満たす待機工程と、前記溶存酸素センサの計測値をもとに被測定水の酸素利用速度を演算する演算工程を行う制御装置を有することを特徴としたものである。
【００１１】
本実施の形態によれば、生物処理槽の被処理水の溶存酸素濃度を常に正確に把握し、これにより酸素利用速度を正確に演算することができる。
【００１２】
本発明の第２の実施の形態は、第１の実施の形態による水質測定装置において、洗浄工程は、被測定水排出動作と洗浄水供給動作と洗浄動作を有することを特徴としたものである。
【００１３】
本実施の形態によれば、水質測定槽および溶存酸素濃度センサの洗浄を効果的に行うことができる。
【００１４】
本発明の第３の実施の形態は、第２の実施の形態による水質測定装置において、被測定水排出動作は、前記底部排出手段で前記水質測定槽内の被測定水を前記底部排出口より排出するようにしたものである。
【００１５】
本実施の形態によれば、被測定水を排出することができる。
【００１６】
本発明の第４の実施の形態は、第２の実施の形態による水質測定装置において、洗浄水供給動作は水質測定槽の水位が設定水位に達するまで洗浄水供給手段で洗浄水を前記水質測定槽に供給するようにしたものである。
【００１７】
本実施の形態によれば、洗浄水を水質測定槽に適量供給することができる。
【００１８】
本発明の第５の実施の形態は、第２の実施の形態による水質測定装置において、洗浄動作は、循環流発生手段で水質測定槽内の洗浄水を循環させて行うようにしたものである。
【００１９】
本実施の形態によれば、循環流によって水質測定槽および溶存酸素濃度センサを洗浄することができる。
【００２０】
本発明の第６の実施の形態は、第２の実施の形態による水質測定装置において、洗浄動作は、曝気手段で水質測定槽内の洗浄水を曝気するようにしたものである。
【００２１】
本実施の形態によれば、曝気により発生するバブルによって水質測定槽および溶存酸素濃度センサの洗浄することができる。
【００２２】
本発明の第７の実施の形態は、第２の実施の形態による水質測定装置において、水質測定槽に、前記溶存酸素濃度センサを洗浄する洗浄水を供給するセンサ洗浄水流入口と、センサ洗浄水を前記水質測定槽に供給するセンサ洗浄水供給手段を備え、洗浄工程は、前記センサ洗浄水供給手段にてセンサ洗浄水を供給し、前記溶存酸素濃度センサを洗浄するともに前記底部排出口開閉手段を開きセンサ洗浄水を排出するセンサ洗浄動作を有するようにしたものである。
【００２３】
本実施の形態によれば、センサ洗浄水を溶存酸素濃度センサに噴射することで溶存酸素濃度センサを洗浄することができる。
【００２４】
本発明の第８の実施の形態は、第１の実施の形態による水質測定装置において、待機工程は洗浄水排出動作と洗浄水供給動作と待機動作を有することを特徴としたものである。
【００２５】
本実施の形態によれば、溶存酸素濃度センサの劣化を防止することができる。
【００２６】
本発明の第９の実施の形態は、第８の実施の形態による水質測定装置において、洗浄水排出動作は、前記底部排出手段で前記水質測定槽内の被測定水を前記底部排出口より排出するようにしたものである。
【００２７】
本実施の形態によれば、洗浄水を排出することができる。
【００２８】
本発明の第１０の実施の形態は、第８の実施の形態による水質測定装置において、洗浄水供給動作は水質測定槽の水位が設定水位に達するまで洗浄水供給手段で洗浄水を前記水質測定槽に供給するようにしたものである。
【００２９】
本実施の形態によれば、洗浄水を水質測定槽に供給することができる。
【００３０】
本発明の第１１の実施の形態は、第８の実施の形態による水質測定装置において、待機動作は設定時間水質測定槽を洗浄水を満たした状態に維持するようにしたものである。
【００３１】
本実施の形態によれば、水質測定槽を洗浄水を満たした状態に保つことができ、溶存酸素濃度センサを劣化させることなく次の測定まで待機させることができる。
【００３２】
本発明の第１２の実施の形態は、第１の実施の形態による水質測定装置において、演算工程は洗浄水排出動作と被測定水供給動作と曝気動作と演算動作を有することを特徴としたものである。
【００３３】
本実施の形態によれば、被測定水の酸素利用速度を正確に演算することができる。
【００３４】
本発明の第１３の実施の形態は、第１２の実施の形態による水質測定装置において、洗浄水排出動作は、前記底部排出手段で水質測定槽内の洗浄水を前記底部排出口より排出するようにしたものである。
【００３５】
本実施の形態によれば、洗浄水を排出することができる。
【００３６】
本発明の第１４の実施の形態は、第１２の実施の形態による水質測定装置において、被測定水供給動作は、設定時間被測定水供給手段にて水質測定槽に被測定水を供給するとともに循環流発生にて水質測定槽内に循環流を発生させるようにしたものである。
【００３７】
本実施の形態によれば、被測定水の性状を均一に保つことができる。
【００３８】
本発明の第１５の実施の形態は、第１２の実施の形態による水質測定装置において、曝気動作は、循環流発生手段にて水質測定槽内に循環流を発生させるとともに曝気手段にて水質測定槽に貯留された被測定水を曝気するようにしたものである。
【００３９】
本実施の形態によれば、被測定水の溶存酸素濃度をむらなく高めることができる。
【００４０】
本発明の第１６の実施の形態は、第１５の実施の形態による水質測定装置において、曝気動作は、溶存酸素濃度センサの測定値が設定値以上になるまで行われるようにしたものである。
【００４１】
本実施の形態によれば、溶存酸素濃度センサの測定値を酸素利用速度が正確に演算することのできる値まで高めることができる。
【００４２】
本発明の第１７の実施の形態は、第１２の実施の形態による水質測定装置において、被測定水の酸素利用速度の演算を溶存酸素濃度センサの測定値が予め設定された上限値から下限値に下がるまでの時間を測定するようにしたものである。
【００４３】
本実施の形態によれば、酸素利用速度が簡単に正確に演算することができる。
【００４４】
本発明の第１８の実施の形態は、第１の実施の形態による水質測定装置において、洗浄工程・待機工程・演算工程を周期的に繰り返すことを特徴としたものである。
【００４５】
本実施の形態によれば、溶存酸素センサの汚れによる測定誤差、水流の乱れによる測定誤差をなくし酸素利用速度の測定を正確に自動的に行うことができる。
【００４６】
本発明の第１９の実施の形態は、第１８の実施の形態による水質測定装置において、洗浄工程は数周期毎に行うようにしたものである。
【００４７】
本実施の形態によれば、溶存酸素センサおよび水質測定槽の洗浄を必要最小限に留め、水質測定装置での電力消費量および洗浄水消費量を節約することができる。
【００４８】
本発明の第２０の実施の形態は、第１８の実施の形態による水質測定装置において、センサ洗浄動作は洗浄工程の数周期毎に行う洗浄工程は数周期毎に行うようにしたものである。
【００４９】
本実施の形態によれば、溶存酸素センサの洗浄を要最小限に留め、水質測定装置での電力消費量および洗浄水消費量を節約することができる。
【００５０】
本発明の第２１の実施の形態は、第１の実施の形態による水質測定装置において、循環流発生手段は水質測定槽に上下方向の循環流を発生させることを特徴としたものである。
【００５１】
本実施の形態によれば、水質測定槽に供給された被測定水に含有している浮遊物質の沈殿を防ぐことができる。
【００５２】
以下、本発明の水質測定装置について、図面を参照して説明する。
【００５３】
（実施の形態１）
図１は本発明による実施の形態１の水質測定装置を生物処理手段１に接続した構成図である。なお、図中の矢印は排水の流れを示す。
【００５４】
まず、生物処理手段１の構成について説明する。流入管２から流量調節弁３を介して被処理水である排水を生物処理槽４に流入させ、一定量貯留する。生物処理槽４の被処理水である排水と汚泥との混合水に供給管６、散気管７、散気管７に設けた多数の噴出孔８を介してブロア５からの空気を供給する。この曝気によって、生物処理槽４の混合水の溶存酸素濃度を高めて好気性化し、微生物による分解を促進する。生物処理槽４で浄化処理された混合水は、接続管９を介して沈殿槽１０に供給され、汚泥分が沈降することでこれを分離し、排出管１１、開閉弁１２を介して排出し活性汚泥として生物処理槽４に返送する。汚泥分が除かれた処理水は、排出管１３より排出し、放流または再利用するものである。
【００５５】
次に、水質測定装置１４の構成について説明する。生物処理槽４に設置された被測定水供給手段であるポンプ１５は生物処理槽４の被測定水を被測定水流入管１６より水質測定槽１７に流入させる。被測定水流入管１６には流入する被測定水の流量を測定する流量計１８と流入する被測定水の流量を調整する被測定水導入弁１９が設けられている。
【００５６】
水質測定槽１７の上部には、上部排出口２０が、水質測定槽１７の底部には底部排出口２１が備えてあり、後述する洗浄のための水道水や被測定水は上部排出口２０からオーバーフローすることで排出管２２を通り生物処理槽４へと還流させることができるようになっている。また、底部排出手段である排出弁２３を開くことで底部排出口２１から排出管２２を通り生物処理槽４へと還流させることができるようにもなっている。
【００５７】
また、水質測定槽１７の上部には、洗浄水として水道水を供給する洗浄水流入管２４と、水道水の供給を開閉する洗浄水導入弁２５が備えてあり、洗浄水導入弁２５を開くことで水質測定槽１７に洗浄水を供給する。
【００５８】
また、水質測定槽１７の底部にはセンサ洗浄水として水道水を供給するセンサ洗浄水流入管２６と、水道水の供給を開閉するセンサ洗浄弁２７が備えてあり、センサ洗浄弁２７を開くことでセンサ洗浄水を水質測定槽１７に設けられている溶存酸素濃度を検出する溶存酸素濃度センサ２８に噴射し、溶存酸素濃度センサ２８を洗浄することができる。
【００５９】
また、水質測定槽１７には、曝気手段であるブロア２９に接続した供給管３０と、この供給管３０に接続し、多数の噴出口を有した散気管３１とを設けて、曝気は、水質測定槽１７の被測定水にブロア２９から供給管３０、散気管３１へと空気を供給することで行うものである。この曝気によって、水質測定槽１７の被測定水の溶存酸素濃度を、生物処理槽４の被処理水の溶存酸素濃度よりも高めるものである。
【００６０】
また、水質測定槽１７内には上下方向の循環流を発生させる循環流発生手段としての水中ミキサ３２が設置してある。
【００６１】
さらに、水質測定槽１７内には水質測定槽１７内に流入した被測定水の水位を測定する水位センサ３３が設けられている。
【００６２】
図２は制御装置３４の入出力を示すブロック図である。制御装置３４は流量計１８の計測値、溶存酸素濃度センサ２８の計測値、水位センサ３３の計測値を入力とし、ポンプ１５への運転／停止指令、被測定水導入弁１９への開度指令、排出弁２３への開／閉指令、洗浄水導入弁２５への開／閉指令、センサ洗浄弁２７への開／閉指令、ブロア２９への運転／停止指令、水中ミキサ３２への運転／停止指令を出力する。
【００６３】
次に制御装置３４の動作について説明する。
【００６４】
図３は制御装置３４の制御動作遷移を示すブロック図、図４は制御装置３４の各制御動作における各機器の動作を示す図である。
【００６５】
水質測定装置１４に電源が入れられると、制御装置３４はまず、洗浄工程の被測定水排出動作（Ｓ１）として、排出弁２３を開き水質測定槽１７内の被測定水を底部排出口２１から生物処理槽４へと還流させる。
【００６６】
１分経過後センサ洗浄動作（Ｓ２）に遷移し、排出弁２３とセンサ洗浄弁２７を開き溶存酸素濃度センサ２８に洗浄水を噴射し、溶存酸素濃度センサ２８を洗浄するとともに洗浄水を底部排出口２１から生物処理槽４へと還流させる。
【００６７】
１分経過後洗浄水供給動作（Ｓ３）に遷移し、排出弁２３とセンサ洗浄弁２７を閉じ、洗浄水導入弁２５を開くことで水質測定槽１７に洗浄水を供給する。
【００６８】
水質測定槽１７に供給された洗浄水の量は水位センサ３３で測定され、予め定められた量が供給されると洗浄動作（Ｓ４）に遷移し、洗浄水導入弁２５は開いたまま水質測定槽１７に洗浄水を供給しながらブロア２９と水中ミキサ３２を運転し水質測定槽の洗浄が行われる。洗浄水は上部排出口２０からオーバーフローして生物処理槽４へと還流させる。
【００６９】
１分経過後洗浄工程を終了し、待機工程の洗浄水排出動作（Ｓ５）に遷移し、ブロア２９と水中ミキサ３２を停止、洗浄水導入弁２５を閉じ、排出弁２３を開き水質測定槽１７内の洗浄水を底部排出口２１から生物処理槽４へと還流させる。
【００７０】
１分経過後洗浄水供給動作（Ｓ６）に遷移し、排出弁２３を閉じ、洗浄水導入弁２５を開くことで水質測定槽１７に洗浄水を供給する。
【００７１】
水質測定槽１７に供給された洗浄水の量は水位センサ３３で測定され予め定められた量が供給されると洗浄水導入弁２５を閉じて待機動作（Ｓ７）に遷移する。
【００７２】
待機動作は演算工程の被測定水供給動作開始から６０分経過するまで継続される（このことは酸素利用速度の演算を６０分間隔で行うことを意味する）。
【００７３】
その後、待機工程を終了し、演算工程の洗浄水排出動作（Ｓ８）へ遷移し、排出弁２３を開き水質測定槽１７内の洗浄水を底部排出口２１から生物処理槽４へと還流させる。
【００７４】
１分経過後被測定水供給動作（Ｓ９）に遷移し、排出弁２３を閉じ、ポンプ１５を運転し、生物処理槽４の被処理水を被測定水として水質測定槽１７に流入させる。被測定水の流入流量は流量計１８で測定され、予め定められた流入流量となるように被測定水導入弁１９の開度制御が行われる。被測定水供給動作は水質測定槽１７内の被測定水の性状と生物処理槽４の排水の性状が等しくなるように被測定水が上部排出口２０からオーバーフローして生物処理槽４へと還流が一定時間（１０分）行われる。
【００７５】
被測定水供給動作においては水中ミキサ３２も運転し、上下方向の循環流を発生させることにより、被測定水に含有している浮遊物質の沈殿を防いでいる。
【００７６】
その後、曝気動作（Ｓ１０）に遷移し、ポンプ１５を停止、被測定水導入弁１９を閉じ、水中ミキサ３２とブロア２９を運転することで水質測定槽１７内に貯留された被測定水の溶存酸素濃度を高める。曝気動作は水質測定槽１７内に貯留された被測定水の溶存酸素濃度が生物処理槽４の排水溶存酸素濃度より十分高く（８．０ｍｇ／Ｌ）なるまで行われる。
【００７７】
次に演算動作（Ｓ１１）に遷移し、引き続き水中ミキサ３２は運転し、ブロア２９は停止する。
【００７８】
演算動作では溶存酸素濃度センサ２８の測定値を監視し、溶存酸素濃度センサ２８の測定値が８．０ｍｇ／Ｌから３．０ｍｇ／Ｌに低下する時間Ｔを測定し、酸素利用速度ＲｒをＲｒ＝５／Ｔで演算する。
【００７９】
酸素利用速度Ｒｒの演算終了後演算工程を終了し、洗浄工程の排出動作（Ｓ１）に遷移し、同様の動作を周期的に繰り返す。
【００８０】
なお、洗浄工程（被測定水排出動作（Ｓ１）→センサ洗浄動作（Ｓ２）→洗浄水供給動作（Ｓ３）→洗浄動作（Ｓ４））は数周期毎に行われ、必要以上に水質測定槽１７および溶存酸素濃度センサ２８の洗浄を行い水道水を浪費することがない。
【００８１】
また、洗浄動作（Ｓ４）時、循環流によりセンサの汚れもある程度は落ちるので、通常の洗浄工程はセンサ洗浄動作（Ｓ２）なしで行い、センサ洗浄動作（Ｓ２）は洗浄工程数回に１回行ってもよい。
【００８２】
また、本実施の形態１では、循環流発生手段として、水中ミキサ３２を用いたが、水質測定槽１７の中央に案内板を用いてもよい。
【００８３】
また、洗浄水の供給量を水位センサ３３で計測したが、供給流量とオーバーフロー水位までの保有水量が分かれば、水位センサ３３を用いず、設定時間で供給することも可能である。
【００８４】
また、本実施の形態１で記載した時間は、特に限定した説明がない場合は、標準的な時間であり、記載した時間に限定されるものではない。
【００８５】
以上のように、本発明の排水処理方法によれば、水質測定槽１７内に被測定水を循環させること、ブロア２９で被測定水を曝気し溶存酸素濃度を生物処理槽４より高めること、水質測定槽１７および溶存酸素濃度センサ２８の洗浄を定期的に行うこと、水質測定槽１７内を洗浄水で満たして待機させることで、必要最小限の電力使用量、洗浄水使用量で生物処理槽４の混合水の酸素利用速度を一定時間間隔で正確に把握することのできる水質測定装置を提供することができる。
【産業上の利用可能性】
【００８６】
本発明による水質測定装置は、工場や、排水処理施設などから排出されるさまざまな排水に対して適用することができる。
【図面の簡単な説明】
【００８７】
【図１】本発明による実施の形態１の水質測定装置を示す構成図
【図２】制御装置の入出力を示すブロック図
【図３】制御装置の制御動作遷移を示すブロック図
【図４】制御装置の各制御動作における各機器の動作を示す図
【符号の説明】
【００８８】
１    生物処理手段
２    流入管
３    流量調節弁
４    生物処理槽(排水貯留槽)
５    ブロア
６    供給管
７    散気管
８    噴出孔
９    接続管
１０  沈殿槽
１１，１３，２２  排出管
１２  開閉弁
１４  水質測定装置
１５  ポンプ
１６  被測定水流入管
１７  水質測定槽
１８  流量計
１９  被測定水導入弁
２０  上部排出口
２１  底部排出口
２３  排出弁
２４  洗浄水流入管
２５  洗浄水導入弁
２６  センサ洗浄水流入管
２７  センサ洗浄弁
２８  溶存酸素濃度センサ
２９  ブロア
３０  供給管
３１  散気管
３２  水中ミキサ
３３  水位センサ
３４  制御装置
【図１】
2007248102.tif 000003
【図２】
2007248102.tif 000004
【図３】
2007248102.tif 000005
【図４】
2007248102.tif 000006